(57)【要約】【課題】高設栽培ないし垣根状に栽培されるイチゴその他の作物等の植物に対し、殺菌、消毒等のために薬液を極めて容易に、かつ、作業効率よく、所望の角度で散布し得るようにした薬液散布装置を提供する。【解決手段】台車（１）には支柱（１１）を立設し、該支柱には上側伸縮杆（１７）の略中央部（１７ａ）と下側伸縮杆（１９）の略中央部（１９ａ）とをそれぞれ支持させ、上側伸縮杆の一端（１７ｂ）と下側伸縮杆の一端（１９ｂ）とには第一アーム（２１）を支持させ、上側伸縮杆の他端（１７ｃ）と下側伸縮杆の他端（１９ｃ）とには第二アーム（２３）を支持させ、第一アームと第二アームとにはそれぞれ薬液散布手段（２５）（２７）を取り付けたことを特徴とする薬液散布装置。【選択図】図１
2006095345.tif 000002
【特許請求の範囲】
【請求項１】
台車には支柱を立設し、該支柱には上側伸縮杆の略中央部と下側伸縮杆の略中央部とをそれぞれ支持させ、上側伸縮杆の一端と下側伸縮杆の一端とには第一アームを支持させ、上側伸縮杆の他端と下側伸縮杆の他端とには第二アームを支持させ、第一アームと第二アームとにはそれぞれ薬液散布手段を取り付けたことを特徴とする薬液散布装置。
【請求項２】
前記第一アームと第二アームは、台車の左右方向の水平軸を回動中心として上下方向に回動自在であることを特徴とする請求項１に記載の薬液散布装置。
【請求項３】
台車には支柱を立設し、該支柱には台車の左右方向の水平軸を回動中心として上下方向に回動自在の支持アームを備えさせ、該支持アームには上側伸縮杆の略中央部と下側伸縮杆の略中央部とをそれぞれ支持させ、上側伸縮杆の一端と下側伸縮杆の一端とには第一アームを支持させ、上側伸縮杆の他端と下側伸縮杆の他端とには第二アームを支持させ、第一アームと第二アームとにはそれぞれ薬液散布手段を取り付け、該支柱と該支持アームとの間には支持アーム用伸縮杆を取り付けたことを特徴とする薬液散布装置。
【請求項４】
前記各伸縮杆は、複数本のリンクを連結ピンを介して連結してなるものであることを特徴とする請求項１〜３のいずれかに記載の薬液散布装置。
【請求項５】
薬液供給ホースの一端を台車に備えさせた分岐手段を介して前記各薬液散布手段に分岐させたことを特徴とする請求項１〜４のいずれかに記載の薬液散布装置。
【発明の詳細な説明】
【技術分野】
【０００１】
本発明は、薬液散布装置に関するものであり、特に、高設栽培ないし垣根状に栽培されるイチゴその他の作物等の植物に対し、殺菌、消毒等のために薬液を散布する薬液散布装置に係るものである。
【背景技術】
【０００２】
特開平１０−３３１０６号公報は、可搬式の薬液散布装置を開示している。この薬液散布装置（以下「従来の薬液散布装置」という。）は、所定長さの伝動軸鞘管の一端部に駆動部を設け、該伝動軸鞘管の他端部には該駆動部により回転駆動するファン及び薬液供給源とホースを介して接続されたノズルを取り付け、該駆動部付近に両手で把持するハンドルと肩掛けベルトとを設けてなるものである。
【０００３】
従来の薬液散布装置は、肩掛けベルトを肩に掛けると共に両手でハンドルを把持した状態で、作業者が作物の近傍を進みつつノズルから薬液を作物に散布するようにしたものである。
【特許文献１】特開平１０−３３１０６号公報
【発明の開示】
【発明が解決しようとする課題】
【０００４】
しかるに、従来の薬液散布装置においては、肩掛けベルトを肩に掛けると共に両手でハンドルを把持した状態で、高設栽培ないし垣根状に栽培されるイチゴその他の作物等の植物に対し、ノズルから薬液を散布する作業は、多大な労力を要する過酷な作業であり、作業者に大きな疲労を与えることになると共に、作業効率も悪い。特に、高設栽培ないし垣根状に栽培されるイチゴその他の作物等の植物に対し、薬液を所望の角度で散布することは極めて困難である。
【０００５】
本発明は、従来の薬液散布装置における上述の如き問題を解決し、高設栽培ないし垣根状に栽培されるイチゴその他の作物等の植物に対し、殺菌、消毒等のために薬液を極めて容易に、かつ、作業効率よく、所望の角度で散布し得るようにした薬液散布装置を提供しようとしてなされたものである。
【課題を解決するための手段】
【０００６】
上記課題を解決するために、本発明は、下記の薬液散布装置を提供する。
【０００７】
（１）台車には支柱を立設し、該支柱には上側伸縮杆の略中央部と下側伸縮杆の略中央部とをそれぞれ支持させ、上側伸縮杆の一端と下側伸縮杆の一端とには第一アームを支持させ、上側伸縮杆の他端と下側伸縮杆の他端とには第二アームを支持させ、第一アームと第二アームとにはそれぞれ薬液散布手段を取り付けたことを特徴とする薬液散布装置（請求項１）。
【０００８】
（２）前記第一アームと第二アームは、台車の左右方向の水平軸を回動中心として上下方向に回動自在である（請求項２）。
【０００９】
（３）台車には支柱を立設し、該支柱には台車の左右方向の水平軸を回動中心として上下方向に回動自在の支持アームを備えさせ、該支持アームには上側伸縮杆の略中央部と下側伸縮杆の略中央部とをそれぞれ支持させ、上側伸縮杆の一端と下側伸縮杆の一端とには第一アームを支持させ、上側伸縮杆の他端と下側伸縮杆の他端とには第二アームを支持させ、第一アームと第二アームとにはそれぞれ薬液散布手段を取り付け、該支柱と該支持アームとの間には支持アーム用伸縮杆を取り付けたことを特徴とする薬液散布装置（請求項３）。
【００１０】
（４）前記各伸縮杆は、複数本のリンクを連結ピンを介して連結してなるものである（請求項４）。
【００１１】
（５）薬液供給ホースの一端を台車に備えさせた分岐手段を介して前記各薬液散布手段に分岐させる（請求項５）。
【００１２】
［発明の作用］
［請求項１の発明］
薬液散布装置は、高設栽培ないし垣根状に栽培されるイチゴその他の作物等の植物に沿って移動しつつ、該植物に対し、殺菌、消毒等のために薬液を散布する。
【００１３】
上側伸縮杆を伸長させると共に下側伸縮杆を収縮させたときには、第一アームと第二アームとは上方が開いた略Ｖ字状となる。従って、第一アームと第二アームとにそれぞれ取り付けられた薬液散布手段も薬液散布装置の正面から見て上方が開いた略Ｖ字状となり、薬液は薬液散布装置の両側の植物に対し斜め下方に散布される。図４参照。
【００１４】
上側伸縮杆を収縮させると共に下側伸縮杆を伸長させたときには、第一アームと第二アームとは下方が開いた逆略Ｖ字状となる。従って、第一アームと第二アームとにそれぞれ取り付けられた薬液散布手段も薬液散布装置の正面から見て下方が開いた逆略Ｖ字状となり、薬液は薬液散布装置の両側の植物に対し斜め上方に散布される。図５参照。
【００１５】
上側伸縮杆と下側伸縮杆とを適宜伸縮させることにより、第一アームと第二アームとを薬液散布装置の正面から見て適宜の角度の略ハ字状又は逆略ハ字状に設定することも可能である。
【００１６】
更に、上側伸縮杆と下側伸縮杆とは必ずしも左右対称に伸縮させる必要はない。上側伸縮杆と下側伸縮杆とを左右各別に伸縮させることにより、第一アームと第二アームとを薬液散布装置の正面から見てそれぞれ異なる角度に設定することも可能である。
【００１７】
上側伸縮杆と下側伸縮杆とをそれぞれ同様に伸縮させたときには、第一アームと第二アームとは相互に平行な垂直状態となる。従って、第一アームと第二アームとにそれぞれ取り付けられた薬液散布手段も相互に平行な垂直状態となり、薬液は薬液散布装置の両側の植物に対し水平方向に散布される。図６、図７参照。
【００１８】
上側伸縮杆と下側伸縮杆とを同様に伸縮させることにより、第一アームと第二アームとを相互に平行な垂直状態を維持させつつ、第一アームと第二アームとの間隔を調整することも可能である。
【００１９】
なお、第一アームと第二アームとのいずれか一方の薬液散布手段のみにより薬液を散布させても差し支えないことはいうまでもない。
【００２０】
以上の如く、高設栽培ないし垣根状に栽培されるイチゴその他の作物等の植物に対し、第一アームと第二アームとを薬液散布装置の正面から見て所望の角度に設定した状態、或いは所望の間隔を有する相互に平行な垂直にした状態で、薬液を散布することができる。
【００２１】
［請求項２の発明］
第一アームと第二アームを台車の左右方向の水平軸を回動中心として上下方向に回動させることにより、薬液散布手段を薬液散布装置の側面から見て薬液散布装置の前後方向における所望の角度に設定することができる。図９参照。例えば、薬液散布手段を所望の前傾姿勢で使用することもできる。
【００２２】
［請求項３の発明］
支持アームは、支持アーム用伸縮杆を伸縮させることにより、薬液散布装置の側面から見て薬液散布装置の前後方向における所望の角度に設定することができる。支持アームを薬液散布装置の前後方向における所望の角度に設定したときには、第一アームと第二アームも薬液散布装置の前後方向における所望の角度になる。その他の点においては、請求項３の発明は請求項２の発明と同様の作用を有する。
【００２３】
［請求項４の発明］
各伸縮杆は、複数本のリンクを連結ピンを介して連結してなるものであるため、伸縮自在である。
【００２４】
［請求項５の発明］
薬液は、薬液供給源に接続された薬液供給ホースを経て各薬液散布手段に分岐供給され、散布される。
【発明の効果】
【００２５】
本発明によれば、高設栽培ないし垣根状に栽培されるイチゴその他の作物等の植物に対し、殺菌、消毒等のために薬液を極めて容易に、かつ、作業効率よく散布することができる。
【００２６】
それぞれ薬液散布手段を取り付けた第一アームと第二アームとを薬液散布装置の正面から見て略Ｖ字状、逆略Ｖ字状、略ハ字状、逆略ハ字状等の所望の角度に設定した状態、第一アームと第二アームとを薬液散布装置の正面から見て各別の角度に設定した状態、あるいは、第一アームと第二アームとを所望の間隔を有する垂直にした状態で、薬液を散布することができる。
【００２７】
また、それぞれ薬液散布手段を取り付けた第一アームと第二アームとを薬液散布装置の側面から見て薬液散布装置の前後方向における所望の角度に設定した状態で、薬液を散布することができる。
【００２８】
即ち、本発明によれば、高設栽培ないし垣根状に栽培されるイチゴその他の作物等の植物の配設状態に応じて、これらの植物に対し、薬液を所望の角度から散布することができる。
【発明を実施するための最良の形態】
【００２９】
符号１に示すものは、薬液散布装置の台車である。台車１は、車輪３、５とハンドル７とを備えている。符号９はハンドル取付杆である。
【００３０】
台車１には支柱１１を立設する。支柱１１は、傾動軸１３を傾動中心として前後方向に傾動自在である。
【００３１】
図示の事例における支柱１１は、内杆１１ａに外筒１１ｂを摺動自在に外嵌してなるものである。外筒１１ｂは、内杆１１ａに対し高さ調節自在であり、所望の高さにてノブボルト１５により内杆１１ａに固定することができる。
【００３２】
支柱１１における外筒１１ｂには上側伸縮杆１７の略中央部１７ａと下側伸縮杆１９の略中央部１９ａとをそれぞれ支持させる。
【００３３】
上側伸縮杆１７の一端１７ｂと下側伸縮杆１９の一端１９ｂとには第一アーム２１を支持させ、上側伸縮杆１７の他端１７ｃと下側伸縮杆１９の他端１９ｃとには第二アーム２３を支持させ、第一アーム２１と第二アーム２３とにはそれぞれ薬液散布手段２５、２７を取り付ける。
【００３４】
薬液散布手段２５、２７は、それぞれ複数の噴孔２９、３１を備えたノズル構成管３３、３５に薬液ホース３７、３９を接続してなるものである。
【００３５】
前記第一アーム２１と第二アーム２３は、台車１の左右方向の水平軸４１を回動中心として上下方向に回動自在である（図９、図１参照）。
【００３６】
以下、図示の事例について説明する。
【００３７】
台車１には支柱１１を立設し、該支柱１１には台車１の左右方向の水平軸４１を回動中心として上下方向に回動自在の支持アーム４３を備えさせ、該支持アーム４３には上側伸縮杆１７の略中央部１７ａと下側伸縮杆１９の略中央部１９ａとをそれぞれ支持させ、上側伸縮杆１７の一端１７ｂと下側伸縮杆１９の一端１９ｂとには第一アーム２１を支持させ、上側伸縮杆１７の他端１７ｃと下側伸縮杆１９の他端１９ｃとには第二アーム２３を支持させ、第一アーム２１と第二アーム２３とにはそれぞれ薬液散布手段２５、２７を取り付け、該支柱１１と該支持アーム４３との間には支持アーム用伸縮杆４５（図１、図９参照）を取り付ける。
【００３８】
上側伸縮杆１７と下側伸縮杆１９と支持アーム用伸縮杆４５は、それぞれ複数本のリンク１７ｄ（１９ｄ、４５ｄ）を連結ピン１７ｅ（１９ｅ、４５ｅ）を介して連結してなるものである。
【００３９】
薬液供給ホース４７の一端４７ａを台車１に備えさせた分岐手段４９を介して前記各薬液散布手段２５、２７に分岐させる。符号５１に示すものは各薬液散布手段２５、２７に備えさせた開閉弁であり、一方の薬液散布手段２５（２７）の開閉弁５１を閉じたときには、当該一方の薬液散布手段２５（２７）のみから薬液が散布される。
【００４０】
図１０における符号５３に示すものは、高設栽培されているイチゴである。
【図面の簡単な説明】
【００４１】
【図１】本発明による薬液散布装置の一例を示す側面図である。
【図２】分岐手段の一例を示す平面図である。
【図３】同上薬液散布装置を示す正面図である。
【図４】薬液散布手段の姿勢の一例を示す正面図である。
【図５】薬液散布手段の姿勢の別の一例を示す正面図である。
【図６】薬液散布手段の姿勢の更に別の一例を示す正面図である。
【図７】薬液散布手段の姿勢の更に別の一例を示す正面図である。
【図８】同上薬液散布手段を示す平面図である。
【図９】同上薬液散布手段を示す側面図である。
【図１０】同上薬液散布装置の使用状態の一例を示す正面図である。
【符号の説明】
【００４２】
１  台車
３  車輪
５  車輪
７  ハンドル
９  ハンドル取付杆
１１  支柱
１１ａ  内杆
１１ｂ  外杆
１３  傾動軸
１５  ノブボルト
１７  上側伸縮杆
１７ａ  略中央部
１７ｂ  一端
１７ｃ  他端
１７ｄ  リンク
１７ｅ  連結ピン
１９  下側伸縮杆
１９ａ  略中央部
１９ｂ  一端
１９ｃ  他端
１９ｄ  リンク
１９ｅ  連結ピン
２１  第一アーム
２３  第二アーム
２５  薬液散布手段
２７  薬液散布手段
２９  噴孔
３１  噴孔
３３  ノズル構成管
３５  ノズル構成管
３７  薬液ホース
３９  薬液ホース
４１  水平軸
４３  支持アーム
４５  支持アーム用伸縮杆
４５ｄ  リンク
４５ｅ  連結ピン
４７  薬液供給ホース
１７ａ  一端
４９  分岐手段
５１  開閉弁
５３  イチゴ
【図１】
2006095345.tif 000003
【図２】
2006095345.tif 000004
【図３】
2006095345.tif 000005
【図４】
2006095345.tif 000006
【図５】
2006095345.tif 000007
【図６】
2006095345.tif 000008
【図７】
2006095345.tif 000009
【図８】
2006095345.tif 000010
【図９】
2006095345.tif 000011
【図１０】
2006095345.tif 000012